(57)【要約】【課題】汚れた貨幣を出金しない金銭処理装置を提供することである。【解決手段】実施形態の金銭処理装置は、収納部と、入金搬送手段と、出金搬送手段と、識別手段と、を備える。収納部は、払い出し用の貨幣を金種別に収納する。入金搬送手段は、入金口から前記収納部まで貨幣を搬送する。出金搬送手段は、前記収納部から出金口まで貨幣を搬送する。識別手段は、前記入金搬送手段により搬送されている貨幣の金種を識別するとともに、当該貨幣の汚れを検出する。前記入金搬送手段は、前記識別手段が汚れを検出した貨幣を回収部に回収し、前記識別手段が汚れを検出しなかった貨幣を金種ごとに分別して前記収納部に搬送する。【選択図】図２
2018028946.tif 000002
【特許請求の範囲】
【請求項１】
払い出し用の貨幣を金種別に収納する収納部と、
入金口から前記収納部まで貨幣を搬送する入金搬送手段と、
前記入金搬送手段により搬送されている貨幣について、真偽を判定し、真の貨幣であれば、金種の識別と、枚数の計上と、汚れの検出とを行う識別手段と、
前記識別手段が偽と見なした貨幣を出金口から排出する排出手段と、
前記識別手段が汚れを検出した貨幣を回収部に回収する回収手段と、
前記識別手段が汚れを検出しなかった貨幣を金種ごとに分別して前記収納部に搬送する分別手段と、
前記回収部に回収する貨幣の金種および枚数と、前記収納部に搬送する貨幣の金種および枚数とに基づいて、前記入金口から入金された入金額を算出する入金額算出手段と、
前記入金額算出手段が算出した前記入金額を通知する入金額通知手段と、
を備えた金銭処理装置。
【請求項２】
前記回収部として、自装置に対して着脱可能に設けられた回収ボックスを備え、
操作手段から受付けた回収指示に基づき、指示された金種および枚数の貨幣を前記収納部から前記回収部に移動する移動手段を更に備えた、
請求項１に記載の金銭処理装置。
【請求項３】
前記識別手段が貨幣の汚れを検出する検出レベルを設定する設定手段を更に備え、
前記識別手段は、前記設定手段が設定した前記検出レベルに応じて前記貨幣の汚れを検出する、請求項１または２に記載の金銭処理装置。
【請求項４】
前記識別手段は、貨幣からの反射光の受光量に基づいて当該貨幣の汚れを検出する、請求項１ないし３のいずれか１つに記載の金銭処理装置。
【発明の詳細な説明】
【技術分野】
【０００１】
本発明の実施形態は、金銭処理装置に関する。
【背景技術】
【０００２】
従来、ＰＯＳ（Point  Of  Sales）端末やＥＣＲ（Electronic  Cash  Register）等の電子機器に接続して用いられる金銭処理装置が知られている。このような金銭処理装置は、投入口から投入された貨幣を金種別に選別して収納部に収納し、ＰＯＳ端末等からの出金指示に基づいて収納部の貨幣を払い出すものである。このような金銭処理装置では、店側できれいな貨幣を収納部に準備しておいても、客から受け取った貨幣が汚れていれば、汚れの多い貨幣を釣銭として払い出すこととなる。
【０００３】
従来技術としては、汚れが酷く金種が識別できないような貨幣を受付けず、リジェクト部から排出する金銭処理装置もある。しかしながら店舗側としては、リジェクトする程の汚れでは無く金種の識別も可能だが、客にお釣りとして渡すのは控えたい貨幣もある。そこで、このような店舗では、店員がお釣りを客に渡す際に汚れの多い貨幣を取り除き、きれいな貨幣を自ら選別して客に渡すなどしている。精算時に貨幣の選別作業が入ると客を待たせることとなる他、貨幣の選別に際しては店員によってその判断基準にばらつきがあるといった課題もある。
【発明の概要】
【発明が解決しようとする課題】
【０００４】
本発明が解決しようとする課題は、汚れた貨幣を出金しない金銭処理装置を提供することである。
【課題を解決するための手段】
【０００５】
実施形態の金銭処理装置は、収納部と、入金搬送手段と、識別手段と、排出手段と、回収手段と、分別手段と、入金額算出手段と、入金額通知手段と、を備える。収納部は、払い出し用の貨幣を金種別に収納する。入金搬送手段は、入金口から前記収納部まで貨幣を搬送する。識別手段は、前記入金搬送手段により搬送されている貨幣について、真偽を判定し、真の貨幣であれば、金種の識別と、枚数の計上と、汚れの検出とを行う。排出手段は、前記識別手段が偽と見なした貨幣を出金口から排出する。回収手段は、前記識別手段が汚れを検出した貨幣を回収部に回収する。分別手段は、前記識別手段が汚れを検出しなかった貨幣を金種ごとに分別して前記収納部に搬送する。入金額算出手段は、前記回収部に回収する貨幣の金種および枚数と、前記収納部に搬送する貨幣の金種および枚数とに基づいて、前記入金口から入金された入金額を算出する。入金額通知手段は、前記入金額算出手段が算出した前記入金額を通知する。
【図面の簡単な説明】
【０００６】
【図１】図１は、実施形態の釣銭機およびＰＯＳ端末の外観を示す斜視図である。
【図２】図２は、紙幣釣銭機の内部を概略的に説明する平面図である。
【図３】図３は、紙幣釣銭機の各部の電気的接続を示したブロック図である。
【図４】図４は、ＰＯＳ端末の機能構成を示すブロック図である。
【図５】図５は、その他の態様であるセルフＰＯＳの概略的構成を示した外観斜視図である。
【発明を実施するための形態】
【０００７】
図１は、釣銭機１およびＰＯＳ端末２の外観を示す斜視図である。ＰＯＳ端末２は、一般に、一店舗に複数台備え付けられ、ユニークなレジナンバーを割り振られて精算場所に設けられる。キャッシャーは、売上処理にＰＯＳ端末２を用いる。ＰＯＳ端末２は、キーボード２１、表示器２２、スキャナ２３（図４参照）などを備えている。
【０００８】
釣銭機１は、紙幣釣銭機１１および硬貨釣銭機１２を有する。紙幣釣銭機１１は、紙幣を識別して収納し、釣銭としての紙幣を出金する。硬貨釣銭機１２は、硬貨を識別して収納し、釣銭としての硬貨を出金する。
【０００９】
紙幣釣銭機１１は、筐体３１を有し、筐体３１の上面の手前側端部に、入金口３２ａと出金口３３ａと備えている。また、筐体３１の上面において出金口３３ａの奥側には、操作キー３８および表示器３９が設けられている。
【００１０】
硬貨釣銭機１２は、筐体５１を有し、筐体５１の上面の右手前端部に、複数枚の硬貨を一括投入できる入金口４６ａを備えている。また、筐体５１の左手前端部は、硬貨を装置内から出金する出金口４７ａを備えている。また、筐体５１の上面には、操作キー４８および表示器４９が設けられている。
【００１１】
次に、紙幣釣銭機１１の構成についてより詳細に説明する。
【００１２】
サービスの質向上を図る店舗においては、汚れや皺の少ない紙幣を整えて客に手渡したいというニーズがある。そこで以下では、紙幣釣銭機１１が汚れや皺の多い紙幣を識別し、回収する例を取り上げて説明する。
【００１３】
図２は、紙幣釣銭機１１の筐体３１の内部構成を概略的に説明する平面図である。紙幣釣銭機１１は、筐体３１に取込部３２と出金部３３とを備えている。また、紙幣釣銭機１１は、筐体３１の内部に識別部３４、収納部３５、および搬送部３６を備えている。
【００１４】
取込部３２は、筐体３１に形成された入金口３２ａを有し、入金口３２ａに差し込まれた紙幣などの紙片を筐体３１内へ取り込む。出金部３３は、筐体３１に形成された出金口３３ａを有し、出金口３３ａから釣銭としての紙幣などの紙片を吐き出す。
【００１５】
取込部３２側に近い位置には、搬送ベルト上の紙幣の真偽および金種を判定し、汚れを検出するための識別部３４が設けられている。識別部３４は、搬送部３６を搬送されている紙片が紙幣であるかを識別し、紙幣であればその金種を識別し、枚数を計上する。また、識別部３４は、搬送部３６を搬送されている紙幣の汚れや皺を検出する。以下では、紙幣の汚れや皺をまとめて「紙幣の汚れ」として記載する。
【００１６】
汚れの検出方法は特に限定しないが、一例として識別部３４が備える識別センサ６０（図３参照）の閾値判定等により紙幣の汚れを検出することができる。例えば識別部３４が、紙幣に光を照射し、紙幣からの反射光を受光するセンサ（受光素子）を識別センサ６０として用いる場合の汚れ検出方法について説明する。一般に、汚れや皺の少ないきれいな紙幣の表面は光を反射しやすく、汚れや皺の多い紙幣の表面は光を反射しにくい。従って、識別部３４は、紙幣からの反射光の受光量が所定の閾値を下回った場合に、当該紙幣は汚れていると判定する。尚、識別部３４は、受光量の平均値、あるいは受光量に何等かの数値操作を行った値に対して、閾値判定を行ってもよい。
【００１７】
尚、上記閾値は、ＲＯＭ５２等の記憶装置が記憶すればよい。また、上記閾値を書き換え可能な記憶装置に記憶しておき、操作キー３８（設定手段）からの操作により、汚れ有りと判定する識別センサ６０の検出レベルをユーザが変更（設定）できるように構成してもよい。そして、識別部３４は、設定された検出レベルに応じて紙幣の汚れを検出すればよい。
【００１８】
収納部３５は、第１収納庫４１、第２収納庫４２、第３収納庫４３および回収カセット４４を備えている。第１収納庫４１は、識別部３４が第１金種の紙幣（例えば千円札）だと識別した紙片を収納する。第２収納庫４２は、識別部３４が第２金種の紙幣（例えば五千円札）だと識別した紙片を収納する。第３収納庫４３は、識別部３４が第３金種の紙幣（例えば一万円札）だと識別した紙片を収納する。尚、ここでは、収納部３５が３種類の金種をそれぞれ収納するための収納庫を３つ備える例について示したが、取り扱う金種数および収納庫は３つに限定されず、２つ以下あるいは４つ以上であってもよい。
【００１９】
回収カセット４４は、筐体３１に対して取り外し可能に設けられており、図示しないロック機構を解除した上で、筐体３１から取り外せるように構成されている。回収カセット４４は、操作キー３８からの指示に基づいて、第１収納庫４１、第２収納庫４２または第３収納庫４３から移動した紙幣を収納する。また、回収カセット４４は、識別部３４が汚れを検出した紙幣を回収して、一時的に収納しておくための収納庫である。店長などの権限を有するユーザは、回収カセット４４を筐体３１から取り外し、紙幣を回収カセット４４内に収納したまま、ＰＯＳ端末２が設置されているレジカウンタから店舗のバックヤード等の安全性の確保された場所まで持ち運ぶことができる。
【００２０】
搬送部３６は、入金口３２ａから収納部３５の各収納庫（第１収納庫４１、第２収納庫４２、第３収納庫４３、回収カセット４４）まで紙幣を搬送する入金搬送手段として機能する。また、搬送部３６は、収納部３５の払い出し用の各収納庫（第１収納庫４１、第２収納庫４２、第３収納庫４３）から出金口３３ａまで紙幣を搬送する出金搬送手段として機能する。
【００２１】
搬送部３６は、例えば無端状の搬送ベルトを有し、当該搬送ベルトが正方向または逆方向に回転することにより、搬送ベルト上の紙幣を正方向または逆方向に搬送する。尚、正方向とは筐体３１の手前側から奥側に向かう方向で、取込部３２側から第１収納庫４１側に向かう方向である。逆方向とは筐体３１の奥側から手前側に向かう方向で、第１収納庫４１側から出金部３３側に向かう方向である。
【００２２】
入金時において搬送部３６は、搬送ベルトを正方向に駆動して、取込部３２が筐体３１内に取り込んだ紙幣を、収納部３５の各収納庫（第１収納庫４１、第２収納庫４２、第３収納庫４３、回収カセット４４）まで搬入する。
【００２３】
出金時において搬送部３６は、搬送ベルトを逆方向に駆動して、払い出し用の各収納庫が払い出した紙幣を、出金口３３ａまで搬出する。払い出し用の各収納庫とは、回収カセット４４以外の各収納庫、即ち、第１収納庫４１、第２収納庫４２、第３収納庫４３のことである。
【００２４】
尚、ここでは入金時と出金時とで搬送ベルトの回転方向を切り替えて、１つの搬送ベルトを入金搬送用と出金搬送用とに兼用させたが、実施形態はこれに限定されない。その他の構成として、入金搬送用のベルトと出金搬送用のベルトとを別に設けるとしてもよい。
【００２５】
図３は、紙幣釣銭機１１の各部の電気的接続を示したブロック図である。紙幣釣銭機１１は、筐体３１の内部に、ＣＰＵ（Central  Processing  Unit）等のプロセッサで構成される制御部５１を有している。制御部５１は、バスラインにより、ＲＯＭ（Read  Only  Memory）５２と、ＲＡＭ（Random  Access  Memory）５３とに接続されている。
【００２６】
また、制御部５１は、バスラインおよび各種インタフェースにより、通信Ｉ／Ｆ（Interface）５４、ブザー５５、入金口センサ５６、入金口モータ５７、出金口モータ５８、出金口センサ５９、識別センサ６０、収納庫センサ６１、収納庫シャッタ６２、回収カセットセンサ６３、搬送モータ６４にそれぞれ接続されている。また、制御部５１は、バスラインおよび各種インタフェースにより、操作キー３８と、表示器３９（ともに図１参照）とに接続されている。
【００２７】
制御部５１は、エラーが発生した際にブザー５５にエラー音を出力させてエラー報知する。入金口センサ５６は入金口３２ａ（図２参照）に設けられ、入金口３２ａに紙幣が差し込まれたことを検出する。入金口モータ５７は、入金口センサ５６が紙幣を検出すると、入金口３２ａに設けられたローラを駆動して入金口３２ａに差し込まれた紙幣を搬送部３６に送り出す。
【００２８】
出金口モータ５８は、出金口３３ａ（図２参照）に設けられたローラを駆動して搬送部３６から出金部３３まで搬送された紙幣を、出金口３３ａの外側へ送り出す。出金口センサ５９は出金口３３ａに設けられ、出金口３３ａに送り出された紙幣が出金口３３ａから抜き取られたか否かを検出する。
【００２９】
識別センサ６０は識別部３４（図２参照）に設けられている。識別センサ６０としては、例えば上述したような紙幣からの反射光を受光する受光センサを用いることができる。
【００３０】
収納庫センサ６１は、収納部３５（図２参照）の各収納庫、即ち、第１収納庫４１、第２収納庫４２、第３収納庫４３、回収カセット４４の入出金口にそれぞれ設けられている。収納庫センサ６１は、入金時に、搬送部３６から各収納庫（第１収納庫４１、第２収納庫４２、第３収納庫４３、回収カセット４４）に送り込まれる紙幣枚数を計上する。また、収納庫センサ６１は、出金時に、回収カセット４４以外の各収納庫（第１収納庫４１、第２収納庫４２、第３収納庫４３）から搬送部３６へ送り出される紙幣枚数を計上する。
【００３１】
収納庫シャッタ６２は、収納部３５（図２参照）の各収納庫の入出金口に、それぞれ１つずつ設けられている。各収納庫の収納庫シャッタ６２は、各収納庫から紙幣を搬送部３６に搬出する際、および、搬送部３６から各収納庫内に紙幣を搬入する際に開いて、紙幣の搬入出を可能とする。
【００３２】
回収カセットセンサ６３は、収納部３５（図２参照）において、回収カセット４４を収納する収納枠部の内壁面などに設けられている。回収カセットセンサ６３は、回収カセット４４が収納部３５内に納められたこと、あるいは、取り外されたことを検出する。
【００３３】
搬送モータ６４は、搬送部３６（図２参照）に設けられ、搬送部３６が備える搬送ベルトを正方向または逆方向のいずれかに回動させる。
【００３４】
操作キー３８（図１参照）は、出金指示、エラー解除、各種設定のための操作などを受付ける。表示器３９（図１参照）は、収納部３５に収納されている合計在高額、金種ごとの収納枚数（在高枚数）、エラーメッセージ、入金額、出金額などの各種情報を表示する。
【００３５】
ＲＯＭ５２は、制御部５１が実行する各種プログラムや各種データを記憶している。ＲＡＭ５３は、制御部５１が各種プログラムを実行する際に一時的にデータやプログラムを記憶する。制御部５１は、ＲＯＭ５２に記憶されたプログラムをＲＡＭ５３に読み出して実行することにより、紙幣釣銭機１１の各部を統括的に制御する。
【００３６】
なお、紙幣釣銭機１１で実行されるプログラムは、ＲＯＭ５２等に予め組み込まれて提供される。紙幣釣銭機１１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００３７】
さらに、紙幣釣銭機１１で実行されるプログラムを、インターネット等のネットワークに接続されたコンピュータ上に格納し、ネットワーク経由でダウンロードさせることにより提供するように構成しても良い。また、紙幣釣銭機１１で実行されるプログラムをインターネット等のネットワーク経由で提供または配布するように構成しても良い。
【００３８】
紙幣釣銭機１１で実行されるプログラムは、上述した各部（出金指示出力部８１、搬送制御部８２となっており、実際のハードウェアとしてはＣＰＵ（プロセッサ）がＲＯＭ５２からプログラムを読み出して実行することにより上記各部が主記憶装置上にロードされ、主記憶装置上に生成されるようになっている。
【００３９】
出金指示出力部８１は、ＰＯＳ端末２の制御部７１から通知された出金指示を受付ける。尚、ＰＯＳ端末２は例えば、釣り金額のうち紙幣で払い出す金額を出金指示として紙幣釣銭機１１に通知する。また、出金指示出力部８１は、操作キー３８から出金額が入力された際にも、当該出金指示を受付ける。出金指示出力部８１は、出金合計額から金種ごとの出金枚数を決定し、各金種の収納庫（第１収納庫４１、第２収納庫４２、第３収納庫４３）に出力する。
【００４０】
搬送制御部８２は、搬送部３６が有する各機構の動作を統括的に制御する。例えば搬送制御部８２は、搬送モータ６４の駆動を制御し、搬送部３６の搬送ベルトを正方向または逆方向に回転させる。これにより搬送制御部８２は、入金時と出金時とで紙幣の搬送方向を切り替える。
【００４１】
搬送制御部８２は搬送部３６を制御して、識別部３４が偽札と見なした紙幣を、リジェクト紙幣として出金口３３ａから排出する。搬送制御部８２は搬送部３６を制御して、識別部３４が真札と見なした紙幣を、識別部３４の識別結果に基づいて収納部３５のいずれか１つの収納庫に搬送する。
【００４２】
より具体的には、搬送部３６は、識別部３４により汚れ有りと判定された紙幣を、払い出し用の紙幣として用いられることがないよう、回収カセット４４に搬入して回収する。
【００４３】
また、搬送部３６は、識別部３４が汚れ無し（汚れが少ない）と判定した紙幣を、金種ごとに、第１収納庫４１、第２収納庫４２、第３収納庫４３のいずれか１つに搬入する。つまり搬送部３６は、識別部３４が第１金種と識別した紙幣を第１収納庫４１に搬入する。また、搬送部３６は、識別部３４が第２金種と識別した紙幣を第２収納庫４２に搬入する。また、搬送部３６は、識別部３４が第３金種と識別した紙幣を第３収納庫４３に搬入する。
【００４４】
また、搬送制御部８２は搬送部３６を制御して、操作キー３８を介して受付けた回収指示に基づき、指示された金種および枚数の紙幣を第１収納庫４１、第２収納庫４２、第３収納庫４３から回収カセット４４内まで移動する。
【００４５】
図４は、ＰＯＳ端末２の機能構成を示すブロック図である。ＰＯＳ端末２は、制御部７１、ＲＯＭ７２、ＲＡＭ７３を備えている。ＲＯＭ７２は、制御部７１が実行する各種プログラムや各種データを記憶する。ＲＡＭ７３は、制御部７１が各種プログラムを実行する際に一時的にデータやプログラムを記憶する。制御部７１としては、ＣＰＵ等のプロセッサを用いる。制御部７１は、ＲＯＭ７２に記憶されたプログラムをＲＡＭ７３に読み出して実行することにより、ＰＯＳ端末２の各部を統括的に制御する。
【００４６】
また、制御部７１には、バスラインを介して通信Ｉ／Ｆ７４が接続されている。通信Ｉ／Ｆ７４は、釣銭機１との間でデータ送受信を行うためのインタフェースである。また、制御部７１には、バスラインを介してキーボード２１（図１参照）、表示器２２（図１参照）、スキャナ２３等のＩ／Ｏ機器が接続されている。スキャナ２３は、バーコードや二次元コード等の形態で各商品に付加された商品コードを読み取る。
【００４７】
制御部７１は、スキャナ２３が商品コードを読み取ると、この商品コードを商品マスタに問い合わせて、商品コードに対応する商品の商品情報（単価など）を読み込む。尚、商品マスタは、ＰＯＳ端末２にＬＡＮ（Local  Area  Network）等の接続回線で接続されたストアサーバが有していてもよい。そして、制御部７１は、接続回線を介して、当該商品マスタに商品情報を問い合わせてもよい。あるいは制御部７１は、ストアサーバから商品マスタをダウンロードしてＰＯＳ端末２内に保存し、保存先の商品マスタに商品情報を問い合わせてもよい。
【００４８】
制御部７１は、商品の単価および販売個数に基づき、一取引の合計金額を算出し、決済処理を行う。また、制御部７１は、取引内容の商品情報や価格、個数、合計金額、預り金額、釣り金額等の情報を用いて、当該取引の売上データを生成する。そして制御部７１は、当該売上データを所定のタイミングでストアサーバに送信し、ストアサーバが管理する売上ファイルに売上データを登録する。
【００４９】
次に、ＰＯＳ端末２と釣銭機１とが協働して行う決済処理について説明する。ＰＯＳ端末２の制御部７１は一取引の合計金額を表示器２２に表示する。客は表示金額を参照して店員に現金を支払う。店員は、客から受け取った代金のうちの紙幣を紙幣釣銭機１１の入金口３２ａに差し込む。また店員は、客から受け取った代金のうちの硬貨を硬貨釣銭機１２の入金口４６ａに投入する。入金口３２ａに差し込まれた紙幣は、入金口モータ５７により筐体３１内部の搬送部３６に取り込まれ、識別部３４によって真偽判定、金種識別、および、汚れ検出がなされる。
【００５０】
搬送制御部８２は、識別部３４が汚れ有りと判定した紙幣を、搬送部３６によって回収カセット４４に回収する。搬送制御部８２は搬送部３６により、識別部３４が汚れ無しと判定した紙幣を、識別部３４が識別した金種に応じて、第１収納庫４１、第２収納庫４２、第３収納庫４３のいずれか１つに収納する。
【００５１】
紙幣釣銭機１１および硬貨釣銭機１２はそれぞれ、紙幣の入金額及び硬貨の入金額を算出し、ＰＯＳ端末２に通知する。即ち、紙幣釣銭機１１は、識別部３４が識別した金種および紙幣枚数に基づいて、入金額を算出する。尚、この際、紙幣釣銭機１１は汚れを検出し回収カセット４４に回収した紙幣分についても、入金扱いとしてその金種、枚数を入金額に含めて計上する。
【００５２】
ＰＯＳ端末２の制御部７１は、通知された紙幣及び硬貨の入金額の合計から、商品価格の合計金額を減算して釣り金額を算出する。そしてＰＯＳ端末２の制御部７１は、釣り金額のうち紙幣にて客に返却する額を出金指示に含めて、紙幣釣銭機１１に通知する。また、制御部７１は、硬貨にて客に返却する額を出金指示に含めて硬貨釣銭機１２に通知する。また、制御部７１は、プリンタによりレシートを印字する。
【００５３】
硬貨釣銭機１２は、ＰＯＳ端末２からの出金指示に基づいて、通知された出金額の硬貨を出金する。紙幣釣銭機１１は、ＰＯＳ端末２からの出金指示に基づいて、通知された出金額の紙幣を出金する。店員は、お釣りとして出金された紙幣、硬貨およびレシートを客に渡す。このようにして一取引の決済が完了する。
【００５４】
以上説明したように、紙幣釣銭機１１は、汚れを検出しなかった紙幣は払い出し用の紙幣を収納する収納部３５に搬入するが、汚れを検出した紙幣は回収カセット４４に回収する。これにより、汚れた紙幣は入金扱いされるが、釣りとして払い出されることはない。従って、汚れた紙幣を店員が取り除き、きれいな紙幣に替えてから客に手渡すという手間を省くことができ、手間をかけずにサービスの質の向上を図ることが可能となる。
【００５５】
また、紙幣釣銭機１１は、汚れ有りとみなした紙幣をリジェクト（差し戻し）せず、その金額を入金扱いとして入金額を計上する。つまり、店舗側は、汚れた紙幣を引き取るが客には渡さないことで、客側に不便をかけずに、サービスの向上を図ることができる。
【００５６】
また、上述した紙幣釣銭機１１は、入金後直ちに汚れた紙幣を識別して回収するので、出金処理は従来と同様、金種の収納庫から出金口３３ａに直接紙幣を搬送すればよい。従って、客にお釣りを渡すまでに要する時間を、従来と同程度にとすることができる。
【００５７】
なお、上述では、入金時に汚れた紙幣を検出して回収する構成例について説明したが、回収のタイミングはこれに限定しない。その他の例として、出金時に汚れた紙幣を検出して回収してもよい。
【００５８】
・出金時に回収する場合の構成例
出金時に汚れた紙幣を回収する場合の構成例について説明する。第１収納庫４１、第２収納庫４２、第３収納庫４３は、出金指示出力部８１の出金指示に基づいて各金種の紙幣を搬送部３６へと送り出す。搬送制御部８２は、搬送モータ６４を逆回転させて搬送ベルトを逆方向に搬送し、各収納庫から送り出された紙幣を識別部３４が設けられた位置まで搬送する。識別部３４が汚れを検出しなかった紙幣については、搬送部３６がそのまま出金口３３ａまで搬送し、出金口モータ５８と協働して、紙幣を出金口３３ａに送り出す。
【００５９】
一方、搬送制御部８２は搬送部３６を制御して、識別部３４が汚れを検出した紙幣を出金口３３ａには払い出さずに、回収カセット４４内へと送り込む。そして、識別部３４は汚れを検出した金種を出金指示出力部８１に通知する。また、回収カセット４４に設けられた収納庫センサ６１は、回収した紙幣枚数を出金指示出力部８１に通知する。出金指示出力部８１は、通知された金種とその枚数を含む出金指示を新たに出力する。そして金種ごとの収納庫（第１収納庫４１、第２収納庫４２、第３収納庫４３）および搬送部３６は、回収分の紙幣を再度払い出す。これにより紙幣釣銭機１１は、回収分の金額を補って当初の釣り金額が全額払い出されるよう制御する。
【００６０】
このように出金時に汚れた紙幣を回収した場合にも、上述と同様、客に手渡すお釣りに汚れた紙幣を含めないようにすることができる。
【００６１】
・回収部のその他の構成例
また、上述では、収納部３５に回収カセット４４を１つ設けて、金種に寄らず汚れた紙幣はこの回収カセット４４に回収するとしたが、金種ごとに回収部を設けて分別回収してもよい。また、図２では、回収カセット４４を収納部３５の手前側に設けた例を示したが、回収カセット４４を収納部３５の奥側、例えば第１収納庫４１の奥側に設けてもよい。
【００６２】
・硬貨釣銭機１２への適用例
また、上述では、紙幣釣銭機１１において汚れた紙幣を検出し、回収する例について説明したが、硬貨釣銭機１２において汚れた硬貨を検出し、回収してもよい。汚れの検出方法は、上述と同様に受光センサを用いて検出してもよいし、材質センサ等のその他のセンサを用いて検出してもよい。
【００６３】
汚れた硬貨を回収するための回収部としては、硬貨搬送経路の下方に設けた引出ボックス等を利用すればよい（例えば、特許第５６２０４４２号公報に記載の構成を参照のこと）。例として、識別部が汚れた硬貨を検出すると、搬送経路に設けられたシャッタが開いて搬送中の硬貨が搬送経路下方の引出ボックスに落ちる。これにより紙幣同様、硬貨についても汚れ有りと判定したものの入金は許可するが、収納部には収納せずに回収部に分別しておくことができる。つまり、汚れの多い硬貨を釣銭として出金しないようにできる。
【００６４】
・その他の装置構成例
また、上述では、ＰＯＳ端末２と接続されて用いる釣銭機１（紙幣釣銭機１１または硬貨釣銭機１２）に本実施形態の金銭処理装置を適用した例について説明したが、実施形態はこれに限定されるものではない。例えば、本実施形態の金銭処理装置として、ＡＴＭ（Automated  Teller  Machine）に内蔵される入出金装置を用いてもよい。また、入金、出金のいずれか一方を行う金銭処理装置に上記構成を適用してもよい。
【００６５】
また、その他の態様として、釣銭機１およびＰＯＳ端末２の機能構成を備えた１台構成の装置に、上述した本実施形態を適用してもよい。装置の例としては、スーパーマーケットやコンビニエンスストア等の店舗で用いられるセルフチェックアウト装置（以降、単にセルフＰＯＳと称する）を利用することができる。
【００６６】
図５は、その他の態様であるセルフＰＯＳ２００の概略的構成を示した外観斜視図である。図５に示すように、セルフＰＯＳ２００の本体２０２は、タッチパネル１０５が表面に配設された表示デバイス１０６や、商品の種別等を認識（検出）するために商品画像を読み取る商品読取部１１０を備えている。
【００６７】
表示デバイス１０６としては例えば液晶表示器が用いられる。表示デバイス１０６は、客にセルフＰＯＳ２００の操作方法を知らせるための案内画面や、各種の入力画面や、商品読取部１１０で読み込んだ商品情報を表示する登録画面、商品の合計金額や預かり金額、釣銭額等を表示し、支払い方法の選択をする精算画面等を表示する。
【００６８】
商品読取部１１０は、客が商品に付されたコードシンボルを商品読取部１１０の読取窓１０３にかざすことで商品画像を読取窓１０３の内部に設けられた撮像部により読み取る。
【００６９】
また、本体２０２の右側にはかごに入った未清算の商品を置くための商品載置台２０３が設けられている。本体２０２の左側には精算済みの商品を置くための商品載置台２０４が設けられている。商品載置台２０４の奥側の上面には、精算済みの商品を袋に入れる前に一時的に置いておくための一時置き台２０６が突出して設けられている。一時置き台２０６の手前側端部には、精算済みの商品を入れるための袋を掛けるための袋掛けフック２０５が一対、設けられている。商品載置台２０３および２０４はそれぞれ計量器を備えており、精算の前後で商品の重量が同じであることを確認する機能を有している。
【００７０】
また、セルフＰＯＳ２００の本体２０２には、精算用の紙幣の入金や釣り紙幣の受け取りを行うための釣銭機２０１が設けられている。
【００７１】
このような構成のセルフＰＯＳ２００において、上述した釣銭機１（図１ないし図３参照）の機能構成を、釣銭機２０１に適用すればよい。また、上述したＰＯＳ端末２（図１、図５参照）の機能構成を、セルフＰＯＳ２００に適用すればよい。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７３】
以上説明したとおり、本実施形態の金銭処理装置（一例として、釣銭機１）は、汚れを検出した貨幣を出金口に払い出さずに回収部に回収する。従って本実施形態によれば、汚れた貨幣を出金しない金銭処理装置を提供することができる。
【符号の説明】
【００７４】
１…釣銭機、２…ＰＯＳ端末、１１…紙幣釣銭機、１２…硬貨釣銭機、３５…収納部、４４…回収カセット、３２…取込部、３３…出金部、３２ａ…入金口、３３ａ…出金口、３４…識別部、３６…搬送部、８１…出金指示出力部、８２…搬送制御部。
【先行技術文献】
【特許文献】
【００７５】
【特許文献１】特開２００６−１２００７４号公報
【図１】
2018028946.tif 000003
【図２】
2018028946.tif 000004
【図３】
2018028946.tif 000005
【図４】
2018028946.tif 000006
【図５】
2018028946.tif 000007